(57)【要約】【課題】防水機能の確保と音圧の確保を両立できる、電子機器の防水構造を提供することを目的とする。【解決手段】防水構造は、スピーカ２０９と、筐体４０と、スピーカシート２０６と、を有する。スピーカ２０９は、音を発する。筐体４０は、スピーカ２０９から発せられた音を通す第２スピーカ穴２０７ａを有する。スピーカシート２０６は、シリコンゴム層２０５ｂと、シリコンゴム層２０５ｂに積層されシリコンゴム層２０５ｂの剛性よりも大きな剛性を有するＰＥＴ層２０５ａと、を有し、筐体４０に固定され第２スピーカ穴２０７ａを密閉する。【選択図】図８
2012165353.tif 000002
【特許請求の範囲】
【請求項１】
音を発するスピーカと、
前記スピーカから発せられた音を通す貫通穴を有し、前記スピーカを収容する筐体と、
第１シートと、前記第１シートに積層され前記第１シートの剛性よりも大きな剛性を有する第２シートと、を有し、前記筐体に固定され前記貫通穴を密閉するカバーと、
を備えた電子機器の防水構造。
【請求項２】
前記第１シートは、前記筐体に固定されている、
請求項１に記載の電子機器の防水構造。
【請求項３】
前記カバーは、前記筐体の外側に固定されている、
請求項１または２に記載の電子機器の防水構造。
【請求項４】
前記筐体は、前記カバーとすきまを空けて配置され前記貫通穴が形成された第１部分と、前記第１部分の周囲に配置され前記カバーが固定された第２部分と、を有している、
請求項１から３のいずれかに記載の電子機器の防水構造。
【請求項５】
前記カバーの前記筐体とは反対側に前記カバーとすきまを空けて配置された第３部分をさらに備えた、
請求項３または４に記載の電子機器の防水構造。
【請求項６】
前記カバーは、前記第２シートに固定されたおもり部材を有している、
請求項１から５のいずれかに記載の電子機器の防水構造。
【請求項７】
前記第１シートは、前記筐体に固定された外縁部を有し、
前記第２シートの一部は、前記外縁部に積層されている、
請求項１から６のいずれかに記載の電子機器の防水構造。
【請求項８】
前記第１シートは、シリコンゴムで形成され、
前記第２シートは、ポリエチレンテレフタレートで形成されている、
請求項１から７のいずれかに記載の電子機器の防水構造。
【発明の詳細な説明】
【技術分野】
【０００１】
本発明は、デジタルカメラ、ビデオカメラ、携帯電話等の電子機器における防水構造に関し、特に電子機器に設けられたスピーカ部分の防水構造に関する。
【背景技術】
【０００２】
従来、防水構造を備えた電子機器にスピーカを設けるに当たり、様々な構造が提案されている。特許文献１に開示された従来の電子機器の防水構造は、スピーカ前面に水を通さない素材で作られた２次振動膜を設けることにより、特別なスピーカおよび特別なスピーカ実装方法を用いずに、防水構造を実現することが出来るとしている。
【先行技術文献】
【特許文献】
【０００３】
【特許文献１】実開平６−３４３８９号公報
【発明の概要】
【発明が解決しようとする課題】
【０００４】
しかしながら、上記従来の電子機器の防水構造では、音圧の確保とビビリ音の低減を両立することが困難な場合がある。例えば、電子機器の耐水圧を向上させるために、２次振動膜の内側に、極わずかなすきまを介して板状の部材を設けることがある。こうすることで、２次振動膜に比較的高い水圧がかかったとしても、２次振動膜は水圧により内側に変形して板状部材に支持されることになるため、水圧により２次振動膜が破壊される可能性が低減できる。
しかしながら、水圧により２次振動膜が変形してしまい、水圧が解除されたときにも元の状態に復帰せず、元の状態よりも内側の板状部材に接近した状態でとどまってしまうことがある。この場合、２次振動膜のすぐ内側に板状部材が存在するため、スピーカの音圧を上げていくにつれて２次振動膜の振幅が大きくなったときに、２次振動膜が板状部材に接触してノイズを発するようになる。これがいわゆるビビリ音である。
【０００５】
一方で、水圧により変形しない程度の引張り強度（もしくは、硬度）を有する材料を２次振動膜として使用すると、２次振動膜の振動量（例えば、振幅の大きさ）は抑制され、音圧が大きく低下する。このように、従来の防水構造では、音圧確保とビビリ音低減の両立が困難な場合がある。
ここに開示される技術は、音圧の確保とビビリ音の低減を両立できる電子機器の防水構造を提供することを目的とする。
【課題を解決するための手段】
【０００６】
ここに開示される電子機器の防水構造は、スピーカと、筐体と、カバーと、を有する。スピーカは、音を発する。筐体は、スピーカから発せられた音を通す貫通穴を有している。カバーは、第１シートと、第１シートに積層され第１シートの剛性よりも大きな剛性を有する第２シートと、を有し、筐体に固定され貫通穴を密閉する。
第２シートの剛性は第１シートの剛性よりも大きいので、第２シートが第１シートと同様の素材で形成されている場合に比べて、水圧下でのカバーの変形が抑制される。その結果、カバー全体の塑性変形が抑制される。これにより、カバーの振動が大きくなったとしても、カバー以外の部材とカバーとの接触が発生し難くなり、ビビリ音の発生を抑制することができる。
さらに、第１シートの剛性は第２シートの剛性よりも小さいので、第１シートが第２シートと同様の素材で形成されている場合に比べて、カバー全体は柔軟に変形することができる。これにより、カバーを十分に大きく振動させることが可能となる。その結果、第１シートが第２シートと同様の素材で形成されている場合に比べて、音圧を高めることができる。
【０００７】
ここで、剛性は変形の生じ難さを意味している。例えば、所定の引張り力に対する第２シートの変形量が、同じ大きさの引張り力に対する第１シートの変形量よりも小さい場合に、第２シートの剛性は第１シートの剛性よりも大きいといえる。
また、密閉とは、少なくとも水密が確保されていることを意味している。したがって、密閉されているとは、例えば、水密が確保されているものの、気密は確保されていない場合、を含んでいる。
【発明の効果】
【０００８】
ここに開示された技術によれば、音圧の確保とビビリ音の低減を両立した電子機器の防水構造を提供することができる。
【図面の簡単な説明】
【０００９】
【図１】実施の形態に係るデジタルカメラ１００を前方から見た外観斜視図
【図２】実施の形態に係るデジタルカメラ１００を後方から見た外観斜視図
【図３】実施の形態に係るデジタルカメラ１００のスピーカ部３０周辺の拡大図
【図４】実施の形態に係るデジタルカメラ１００のスピーカ部３０周辺の拡大図（リアフレーム１０２を外した状態）
【図５】実施の形態に係るデジタルカメラ１００の分解斜視図
【図６】実施の形態に係るスピーカシート２０６の概略断面図
【図７】実施の形態に係るデジタルカメラ１００の背面図
【図８】実施の形態に係るデジタルカメラ１００のスピーカ部３０周辺が自然状態にあるときのＡＡ線による断面図
【図９】実施の形態に係るデジタルカメラ１００のスピーカ部３０周辺が加圧状態にあるときのＡＡ線による断面図
【発明を実施するための形態】
【００１０】
次に、図面を用いて、実施の形態について説明する。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
なお、以下の実施の形態では、防水構造を備える電子機器としてデジタルカメラを例に挙げて説明する。以下の説明では、通常姿勢（以下、横撮り姿勢ともいう）のデジタルカメラを基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。同様に、「前」「後」「上」「下」「右」「左」は、被写体に正対する横撮り姿勢でのデジタルカメラを基準とする用語である。ここで、横撮り姿勢とは、横長矩形画像の長辺方向が画像内の水平方向と概ね一致する場合におけるデジタルカメラの姿勢である。
【００１１】
なお、前後左右および上下を説明するためのこれらの用語は、本実施の形態に係るデジタルカメラにおける各構成要素の配置を限定することを意図してはいない。
（デジタルカメラ１００の全体構成）
図１は、本実施の形態に係るデジタルカメラ１００を前方から見た外観斜視図である。図２は、本実施の形態に係るデジタルカメラ１００を後方から見た外観斜視図である。
デジタルカメラ１００は、静止画像の撮影、記録、再生を実行する機能を有する。また、デジタルカメラ１００は、音声を再生可能な電子機器である。具体的には、デジタルカメラ１００は、音声を伴った動画像の撮影、記録、および再生を実行する機能を有する。
デジタルカメラ１００は、筐体４０と、リアフレーム１０２と、を備える。筐体４０は、フロントユニット１０１と、リアケースユニット２０７（後述）とを有している。リアフレーム１０２は、デジタルカメラ１００の外装を形成する部材のひとつであり、筐体４０の後方に配置される。
【００１２】
また、デジタルカメラ１００は、光学系１０と、モニタ２０と、マイクロフォン（図示せず）と、を有する。光学系１０には被写体から光が入射する。デジタルカメラ１００が静止画像もしくは動画像を撮影する場合には、被写体から入射した光が画像に変換され、記録される。モニタ２０は、例えば、記録された画像を表示する。マイクロフォンは、デジタルカメラ１００の周囲の音を集める。デジタルカメラ１００が動画像を記録する場合には、マイクロフォンが集めた音が記録される。スピーカ２０９（後述）は、記録された音を再生する。
図３は、本実施の形態に係るデジタルカメラ１００のスピーカ部３０周辺の拡大図である。デジタルカメラ１００の背面には、スピーカ部３０が設けられている。スピーカ部３０は、デジタルカメラ１００の後方に向けて音声を放つ。リアフレーム１０２のスピーカ部３０に対応する部分には、第１スピーカ穴１０２ａが設けられている。第１スピーカ穴１０２ａは、リアフレーム１０２を貫通する複数の穴を含んでいる。スピーカ部３０は、第１スピーカ穴１０２ａを含む。スピーカ２０９から発せられる音は、第１スピーカ穴１０２ａを通して外部に伝搬する。
【００１３】
図４は、本実施の形態に係るデジタルカメラ１００のスピーカ部３０周辺の拡大図である。図４では、リアフレーム１０２は取り外されている。リアフレーム１０２の前方には、リアケースユニット２０７が配置されている。すなわち、デジタルカメラ１００の筐体４０の背面は、リアケースユニット２０７により形成されている。リアケースユニット２０７には、第２スピーカ穴２０７ａ（後述）が形成されている。
ここで、デジタルカメラ１００の筐体４０の内側には、水密性の内部空間が形成されている。より詳細には、水密性の内部空間は、リアケースユニット２０７の直ぐ前方に形成されている。このように、リアケースユニット２０７は、デジタルカメラ１００の水密構造を構成するユニットのうちのひとつである。そして、筐体４０は、スピーカ２０９を収容している。より詳細には、スピーカ２０９は、筐体４０の内側に形成された水密性の内部空間に収容されている。
【００１４】
リアケースユニット２０７のスピーカ部３０に対応する部分には振動シート２０５とビビリ抑制シート２０３が配置される。なお、以下の説明においてビビリ抑制シート２０３が振動シート２０５に接着された複合物をスピーカシート２０６（カバーの一例）とする。スピーカシート２０６は、筐体４０に固定されており、第２スピーカ穴２０７ａを密閉している。スピーカシート２０６は、振動可能な、防水機能を有する部材である。スピーカシート２０６には、スピーカ２０９の発した音が主に空気を介して伝わる。そして、スピーカシート２０６は、振動することにより、スピーカ２０９が発した音を後方に伝達する。一方で、スピーカシート２０６は、筐体４０内部への水の侵入を防ぐ。
スピーカ部３０は、リアケースユニット２０７の第２スピーカ穴２０７ａ、ビビリ抑制シート２０３、および振動シート２０５を含む。
【００１５】
図５は、本実施の形態に係るデジタルカメラ１００の分解斜視図である。リアフレーム１０２の第１スピーカ穴１０２ａの内側には、後方から順にゴミよけシート２０１、ビビリ抑制シート２０３、振動シート２０５、リアケースユニット２０７の第２スピーカ穴２０７ａ、が備えられる。ゴミよけシート２０１は繊維材によるメッシュからなり、外部からの異物の侵入を防止する。
リアケースユニット２０７の前方（リアケースユニット２０７の内側）には、スピーカ２０９と、スピーカ押さえ板金２１１と、が配置される。
スピーカ２０９は、音再生装置であり、振動板２０９ａを有している。スピーカ２０９は、音声を表す電気信号を可聴域の音に変換する。具体的には、スピーカ２０９は、電気信号を振動板２０９ａの振動に変換する。このように、スピーカ２０９は、音を再生する機能を有したユニットであり、スピーカシート２０６に依存することなく可聴域の音を再生することができる。
【００１６】
スピーカ押さえ板金２１１はスピーカ２０９をリアケースユニット２０７に対して前方から押圧することにより支持する。
なお上述のスピーカ部３０とは、リアフレーム１０２の第１スピーカ穴１０２ａ、ゴミよけシート２０１、ビビリ抑制シート２０３、振動シート２０５、リアケースユニット２０７の第２スピーカ穴２０７ａ、スピーカ２０９、を含んだ構成を指す。
（スピーカシート２０６の構成）
図６は、本実施の形態に係るビビリ抑制シート２０３および振動シート２０５の概略断面図である。
ビビリ抑制シート２０３はポリエステルより成る。本実施の形態では、ビビリ抑制シート２０３はＰＥＴ（ポリエチレンテレフタレート）で形成される。ビビリ抑制シート２０３は、概ね円形のフィルムであり、振動シート２０５に固定されている。具体的には、ビビリ抑制シート２０３は、粘着剤２１４によって振動シート２０５に接着されている。前後方向から見た場合に、ビビリ抑制シート２０３は、振動シート２０５よりも小さい。また、ビビリ抑制シート２０３は、概ね、振動シート２０５の中央に配置される。
【００１７】
振動シート２０５は、概ね矩形の平坦部材である。振動シート２０５はＰＥＴ層２０５ａとシリコンゴム層２０５ｂから成る。本実施の形態では、振動シート２０５は、融解した材料を用いて膜形成される。
シリコンゴム層２０５ｂは、リアケースユニット２０７に固定される。シリコンゴム層２０５ｂは、外縁部２０５ｃ（外縁部の一例）を有している。外縁部２０５ｃは、リアケースユニット２０７に固定される。本実施の形態では、外縁部２０５ｃとシリコンゴム層２０５ｂのそれ以外の部分とは別体ではなく、シリコンゴム層２０５ｂは一体形成されている。なお、図６では、説明のために、外縁部２０５ｃとシリコンゴム層２０５ｂのそれ以外の部分との境界が破線で示されている。
ＰＥＴ層２０５ａは、シリコンゴム層２０５ｂの外側、すなわちリアフレーム１０２の第１スピーカ穴１０２ａから侵入する水に直接触れる側に構成される。言い換えると、ＰＥＴ層２０５ａは、シリコンゴム層２０５ｂの外側（おもて面）に積層されている。本実施の形態では、ＰＥＴ層２０５ａは、シリコンゴム層２０５ｂの全体に積層されている。したがって、ＰＥＴ層２０５ａは、シリコンゴム層２０５ｂの外縁部２０５ｃにも積層されている。なお、ビビリ抑制シート２０３は振動シート２０５の外側（つまり、ＰＥＴ層２０５ａのシリコンゴム層２０５ｂが積層された側面とは反対側）に構成される。
【００１８】
したがって、振動シート２０５がデジタルカメラ１００に組み付けられた状態において、後方から順に、ビビリ抑制シート２０３、ＰＥＴ層２０５ａ、シリコンゴム層２０５ｂ、が配置されることになる。
（スピーカ部３０周辺の構造）
図７は、本実施の形態に係るデジタルカメラ１００の背面図である。図８は、本実施の形態に係るデジタルカメラ１００のスピーカ部３０周辺が自然状態にあるときの図７中のＡＡ線による断面図である。なお、図８の説明においては、便宜上、外側とは後方を意味している場合があり、内側とは前方を意味している場合がある。また、自然状態とは、デジタルカメラ１００が水中にない状態、すなわち振動シート２０５の外側が水に触れていない（空気に触れている）状態を指す。
【００１９】
リアフレーム１０２とゴミよけシート２０１とは、粘着剤２１３により接着される。ゴミよけシート２０１（第３部分の一例）は、振動シート２０５のリアケースユニット２０７とは反対側に、振動シート２０５とすきま３００ａを空けて配置される。ここで、リアケースユニット２０７の外側は、スピーカ部３０に対応する位置で内側へ向かって窪んでいる。これにより、リアケースユニット２０７には、第１凹部２０７ｃが形成される。第１凹部２０７ｃおよびゴミよけシート２０１により、すきま３００ａが形成される。
ゴミよけシート２０１は、外部から砂や埃などがリアフレーム１０２とリアケースユニット２０７との間のすきま３００ａに入り込まないように、第１スピーカ穴１０２ａを覆う。なお、すきま３００ａは水密には保たれていないので、すきま３００ａには、水が浸入することができる。
【００２０】
ビビリ抑制シート２０３と振動シート２０５とは、粘着剤２１４により接着される。振動シート２０５とリアケースユニット２０７とは、粘着剤２１５により接着される。リアケースユニット２０７の外側には第２凹部２０７ｂが設けられ、第２凹部２０７ｂには第２スピーカ穴２０７ａが設けられる。第２凹部２０７ｂは、第１凹部２０７ｃの底に形成される。第２スピーカ穴２０７ａは、筐体４０のリアケースユニット２０７を貫通しており、スピーカ２０９から発せられた音を通す。また、振動シート２０５およびリアケースユニット２０７の第２凹部２０７ｂにより囲まれる空間により、すきま３００ｂが形成される。
リアケースユニット２０７は、第１部分２０８ａと、第２部分２０８ｂと、を有している。第１部分２０８ａは、振動シート２０５とすきま３００ｂを空けて配置されている。第１部分２０８ａには、第２スピーカ穴２０７ａが形成されている。第２部分２０８ｂは、第１部分２０８ａの周囲に配置されている。第２部分２０８ｂには、振動シート２０５が固定される。具体的には、第２部分２０８ｂには、シリコンゴム層２０５ｂの外縁部２０５ｃが粘着剤２１５により接着される。これにより、スピーカシート２０６は、第２凹部２０７ｂおよび第２スピーカ穴２０７ａを水密に保つ。このように、スピーカシート２０６は、リアケースユニット２０７に固定され第２スピーカ穴２０７ａを覆う。ここで、第１部分２０８ａは、第２凹部２０７ｂの底を形成しており、第２部分２０８ｂは、第２凹部２０７ｂの側壁を形成している。
【００２１】
スピーカ２０９とリアケースユニット２０７の間にはスピーカクッション２１７が備えられる。スピーカ２０９は、スピーカ押さえ板金２１１によりスピーカクッション２１７を介してリアケースユニット２０７に押圧される。この結果、スピーカ２０９の振動板２０９ａは外側を向いて第２スピーカ穴２０７ａに対向する。また、スピーカクッション２１７は、スピーカ２０９の外縁部に沿って配置され、振動板２０９ａに沿った方向への音の伝搬を抑制する。そのため、スピーカ２０９から発せられた音が筐体４０の内側にもれ難くなり、効率よく音が筐体４０の外側に伝搬する。
本実施の形態に係るデジタルカメラ１００のスピーカ部３０の構成においては、外側から順に、リアフレーム１０２の第１スピーカ穴１０２ａ、リアフレーム１０２とゴミよけシート２０１との間の粘着剤２１３、ゴミよけシート２０１、ビビリ抑制シート２０３、ビビリ抑制シート２０３と振動シート２０５との間の粘着剤２１４、振動シート２０５、振動シート２０５とリアケースユニット２０７との間の粘着剤２１５、リアケースユニット２０７の第２スピーカ穴２０７ａ、スピーカクッション２１７、スピーカ２０９、スピーカ押さえ板金２１１、が配置されることになる。
【００２２】
（名称の対応）
第２スピーカ穴２０７ａは、貫通穴の一例である。筐体４０は、筐体の一例である。スピーカシート２０６は、カバーの一例である。シリコンゴム層２０５ｂは、第１シートの一例である。ＰＥＴ層２０５ａは、第２シートの一例である。ビビリ抑制シート２０３は、おもり部材の一例である。
（自然状態および加圧状態におけるスピーカシート２０６の挙動）
図８を参照しながら、スピーカ部３０の自然状態における挙動について説明する。
スピーカ２０９から発せられる音はリアケースユニット２０７の第２スピーカ穴２０７ａを通ってスピーカシート２０６を振動させる。この時スピーカ２０９から発生した音はスピーカシート２０６を介して外部へ伝搬する。ここで、スピーカシート２０６の層厚を十分薄くすることで、音の減衰を抑えることができる。本実施の形態では、ＰＥＴ層２０５ａの厚みを４０μｍ、シリコンゴム層２０５ｂの厚みを５０μｍとする。またゴミよけシート２０１のメッシュ径は、音が通過するのに十分な大きさに設定されているため、ゴミよけシート２０１による音の減衰はほとんど生じない。
【００２３】
このスピーカシート２０６はスピーカ２０９から発せられた音により前後方向に振動するが、振動の振幅よりも十分大きなすきま３００ａが設けられているためスピーカシート２０６とゴミよけシート２０１とが接触してビビリ音を生じさせることはない。同様にスピーカシート２０６とリアケースユニット２０７の間にはスピーカシート２０６の振動の振幅と比較して十分大きなすきま３００ｂが設けられているため、スピーカシート２０６とリアケースユニット２０７とが接触してビビリ音を生じさせることはない。
このように、すきま３００ａおよびすきま３００ｂの大きさは、スピーカシート２０６の振幅の大きさを考慮して決定される。その結果、大気中での通常の状態の下では、ビビリ音はほとんど発生しない。なお、大気中での通常の状態とは、スピーカシート２０６に異常な変形が生じていない状態をいう。スピーカシート２０６の異常な変形は、リアケースユニット２０７の内側と外側に急激な気圧差が生じた場合に発生し得る。
【００２４】
なお、本実施の形態では、すきま３００ａおよびすきま３００ｂは、意図的に設計されている。しかしながら、すきま３００ａおよびすきま３００ｂは、設計および製造の過程での誤差により発生したすきまも含み得る。
また、振動シート２０５は空気を通さないため、振動シート２０５が振動するときに、筐体４０の内部の空気の圧縮もしくは膨張が生じる。つまり、筐体４０の内部の空気は、振動シート２０５に対して、ある種のバネとして作用する。このような場合に、振動シート２０５は自己共振の影響を比較的受け易くなる。ここで、自己共振とは、例えば、分割振動を意味している。そして、振動シート２０５の振動量がある一定量を超えると、振動シート２０５自体が自己共振を起こしビビリ音を発生させることがある。なお、ここでのビビリ音は、振動シート２０５が他の部材と接触することによって生じる異常音ではなく、振動シート２０５自体が発する異常音である。
【００２５】
この自己共振を低減させるために、ビビリ抑制シート２０３が備えられている。ビビリ抑制シート２０３は、振動シート２０５に固定されることにより、スピーカシート２０６おける自己共振の発生が抑制されるように、振動に関するスピーカシート２０６の特性を調整している。ここで、振動に関する特性の調整としては、例えば、分割振動の発生する振動数（つまり、分割振動数）を、より高い振動数領域にまで移動させることが挙げられる。このように、可聴域内の主要な振動数領域から分割振動数をずらすことにより、分割振動の発生を抑制することができる。
本実施の形態では、厚みおよび重量分布を調整することにより、スピーカシート２０６の振動に関する特性が調整されている。具体的には、ビビリ抑制シート２０３により、スピーカシート２０６の厚みが調整されている。つまり、ビビリ抑制シート２０３の貼り付けられた位置では、スピーカシート２０６の厚みが増加している。また、ビビリ抑制シート２０３により、スピーカシート２０６の重量分布が調整されている。つまり、ビビリ抑制シート２０３は振動シート２０５の錘（おもり）としても機能している。
【００２６】
図９は、本実施の形態に係るデジタルカメラ１００のスピーカ部３０周辺が加圧状態にあるときのＡＡ線による断面図である。なお、図９の説明においても、外側とは後方を意味している場合があり、内側とは前方を意味している場合がある。また、加圧状態とは、デジタルカメラ１００が水中にある状態でかつ、振動シート２０５に対して外側から一定量以上の水圧が印加されている状態を指す。図９では、水圧の作用する方向が矢印によって示されている。
デジタルカメラ１００が加圧状態になると、スピーカシート２０６はリアケースユニット２０７に対して水圧により押圧され、すきま３００ｂが減少または消滅する。一方で、デジタルカメラ１００を水中から出すことにより、スピーカシート２０６は加圧状態から開放される。このとき、スピーカシート２０６の材質によっては、加圧状態から開放されても、すきま３００ｂの大きさが十分に確保されない場合がある。例えば、振動シート２０５が、比較的容易に塑性変形する素材のみで形成されている場合が考えられる。この場合に、仮にスピーカシート２０６が水圧によって塑性変形してしまっており、すきま３００ｂが減少した状態で固定されると、ビビリ音が発生する可能性がある。具体的には、スピーカ２０９から音が発せられた際に、スピーカシート２０６が振動しリアケースユニット２０７と接触してビビリ音を生じさせてしまう。また、塑性変形を繰り返すことにより、振動シート２０５が疲労し、損傷する可能性もある。
【００２７】
しかしながら本実施の形態では、振動シート２０５のＰＥＴ層２０５ａが持つ剛性は十分に大きいため、振動シート２０５の塑性変形を抑制することができる。
また、シリコンゴム層２０５ｂの弾性はＰＥＴ層２０５ａの弾性よりも大きいので、振動シート２０５の音圧性能を維持することができる。具体的には、振動シート２０５にシリコンゴム層２０５ｂを設けることにより、振動シート２０５に適度の柔軟性を持たせることができる。振動シート２０５が適度に柔軟であるので、振動シート２０５を十分に大きく振動させることが可能となり、音圧が確保される。
そして、水圧を受けた振動シート２０５が撓んだ場合に、リアケースユニット２０７とＰＥＴ層２０５ａとの間に配置されたシリコンゴム層２０５ｂは、柔軟に変形する。その結果、ＰＥＴ層２０５ａに過剰な外力が作用することを抑制できる。これにより、加圧状態において振動シート２０５の変形は主に弾性変形の範囲内で生じ、振動シート２０５の塑性変形が抑制される。その結果、塑性変形による振動シート２０５疲労を減らすことができる。また、振動シート２０５のシリコンゴム層２０５ｂの持つ弾性力は十分に大きいため、加圧状態から開放された際にすきま３００ｂが自然状態での大きさに復帰するのが容易となり、振動シート２０５に塑性変形が生じ難くなる。
【００２８】
以上のように、本実施形態に係る振動シート２０５を用いることにより、加圧状態におかれることに起因してスピーカ音質に生じ得る悪影響を低減することができる。
ここで、剛性は変形の生じ難さを意味している。具体的には、所定の引張り力に対するＰＥＴ層２０５ａの変形量は、同じ大きさの引張り力に対するシリコンゴム層２０５ｂの変形量よりも小さい。また、所定の水圧に対するＰＥＴ層２０５ａの撓み量は、同じ大きさの水圧に対するシリコンゴム層２０５ｂの撓み量よりも小さい。なお、剛性の大小を材質の弾性率に基づいて判定してもよい。弾性率の一例としては、ヤング率が挙げられる。
また、振動シート２０５は筐体４０の外側に固定されているので、加圧状態では、振動シート２０５とリアケースユニット２０７上の粘着剤２１５とは、筐体４０の内側に向かって押圧され、この方向に加重される。すなわち、振動シート２０５は、リアケースユニット２０７に向かって水圧によって押されることにより、振動シート２０５とリアケースユニット２０７との接着が促進されるように加重される。このため、振動シート２０５とリアケースユニット２０７とが剥がれ難くなる。このように、振動シート２０５を筐体４０の外側に固定することにより、筐体４０の内側に水などの液体が侵入する可能性を低減でき、防水機能を確保できる。また、デジタルカメラ１００の耐水圧を高めることができる。
【００２９】
なお、上記の通りリアケースユニット２０７の外側に振動シート２０５が設けられているが、振動シート２０５は、リアフレーム１０２によって保護されている。つまり、振動シートの外側にさらにリアフレーム１０２が設けられているため、振動シート２０５は外部に露出していない。このように、振動シート２０５はリアフレーム１０２によって保護されているので、振動シート２０５が容易に剥がれてしまうということはない。
（作用効果）
上記説明したように、ＰＥＴ層２０５ａとシリコンゴム層２０５ｂを有するスピーカシート２０６を上述の構成で電子機器に備えることにより、音圧の確保とビビリ音の低減を両立した電子機器の防水構造を提供することができる。
ここで、本実施の形態に係る防水構造の作用効果について説明する。
【００３０】
（１）
デジタルカメラ１００の防水構造は、シリコンゴム層２０５ｂと、シリコンゴム層２０５ｂに積層されシリコンゴム層２０５ｂの剛性よりも大きな剛性を有するＰＥＴ層２０５ａとを有し、リアケースユニット２０７に固定され第２スピーカ穴２０７ａを密閉するスピーカシート２０６を有している。
この防水構造では、ＰＥＴ層２０５ａの剛性はシリコンゴム層２０５ｂの剛性よりも大きいので、ＰＥＴ層２０５ａがシリコンゴムで形成されている場合に比べて、加圧状態におけるスピーカシート２０６の変形が抑制される。その結果、スピーカシート２０６全体の塑性変形が抑制される。これにより、スピーカシート２０６の振動が大きくなったとしても、スピーカシート２０６以外の部材とスピーカシート２０６との接触が発生し難くなり、ビビリ音の発生を抑制することができる。
【００３１】
さらに、シリコンゴム層２０５ｂの剛性はＰＥＴ層２０５ａの剛性よりも小さいので、シリコンゴム層２０５ｂがＰＥＴで形成されている場合に比べて、スピーカシート２０６全体は柔軟に変形することができる。これにより、スピーカシート２０６を十分に大きく振動させることが可能となる。その結果、シリコンゴム層２０５ｂがＰＥＴで形成されている場合に比べて、音圧を高めることができる。
（２）
シリコンゴム層２０５ｂはリアケースユニット２０７に固定されているので、ＰＥＴ層２０５ａとリアケースユニット２０７との間には、シリコンゴム層２０５ｂが配置される。これにより、ＰＥＴ層２０５ａは、リアケースユニット２０７と接触し難くなるとともに、シリコンゴム層２０５ｂにより保護される。その結果、スピーカシート２０６に水圧が作用した場合であっても、ＰＥＴ層２０５ａには過剰な力が作用し難くなり、ＰＥＴ層２０５ａの塑性変形を抑制することができる。
【００３２】
（３）
スピーカシート２０６は筐体４０の外側に固定されているので、加圧状態では、スピーカシート２０６は水圧によってリアケースユニット２０７に向けて押される。このように、スピーカシート２０６が水圧によって筐体４０に押し付けられるので、スピーカシート２０６が筐体４０の内側に固定されている場合に比べて、スピーカシート２０６はリアケースユニット２０７から剥がれにくくなる。その結果、デジタルカメラ１００の耐水圧を向上させることができる。
（４）
リアケースユニット２０７は、スピーカシート２０６とすきま３００ｂを空けて配置された第１部分２０８ａと、第１部分２０８ａの周囲に配置されスピーカシート２０６が固定された第２部分２０８ｂと、を有している。このように、すきま３００ｂが確保されるので、スピーカシート２０６はリアケースユニット２０７と接触しないように振動できる。その結果、ビビリ音の発生をさらに抑制することができる。
【００３３】
（５）
また、ゴミよけシート２０１は、スピーカシート２０６のリアケースユニット２０７とは反対側に、スピーカシート２０６とすきま３００ａを空けて配置されている。このように、すきま３００ａが確保されるので、スピーカシート２０６はゴミよけシート２０１と接触しないように振動できる。
（６）
ビビリ抑制シート２０３がＰＥＴ層２０５ａに固定されているので、スピーカシート２０６の自己共振が抑制され、自己共振に起因する異常音を低減することができる。
（７）
シリコンゴム層２０５ｂは筐体４０に固定された外縁部２０５ｃを有し、ＰＥＴ層２０５ａの一部は外縁部２０５ｃに積層されている。これにより、ＰＥＴ層２０５ａはシリコンゴム層２０５ｂを介して筐体４０に確実に固定される。その結果、スピーカシート２０６の過剰な変形が抑制され、スピーカシート２０６の塑性変形が生じ難くなる。
【００３４】
（他の実施の形態）
ここに開示される技術は、上記実施の形態に限定される必要はなく、発明の趣旨を逸脱しない範囲で種々の変更が可能である。
（Ａ）
上記実施の形態では、振動シート２０５のＰＥＴ層２０５ａの材料として耐候性・高強度をもったＰＥＴが用いられていたが、ＰＥＴ以外の材料が用いられてもよい。例えば、振動シート２０５には、ＰＥＴ層２０５ａの代わりに、ＰＢＴ（ポリブチレンテレフタレート）層が形成されてもよい。また、上記実施の形態では、シリコンゴム層２０５ｂの材料として弾性・耐候性に優れたシリコンゴムが用いられていたが、シリコンゴム以外の材料が用いられてもよい。例えば、振動シート２０５には、シリコンゴム層２０５ｂの代わりに、ＥＰＤＭ（エチレン−プロピレン−ジエンゴム）層が形成されてもよい。
【００３５】
（Ｂ）
また、上記実施の形態では、リアケースユニット２０７の外側に振動シート２０５を接着する構成としたが、振動シート２０５が固定される位置は、リアケースユニット２０７の外側でなくてもよい。例えば、振動シート２０５にかかると想定される水圧が一定量以下の場合、リアケースユニット２０７の内側に振動シート２０５を接着する構成が採用されてもよい。
こうすることで、リアケースユニット２０７の内側から振動シート２０５を接着することになるため、デジタルカメラ１００の耐水圧は上記実施の形態の構成よりも相対的に低くなる。しかしその一方で、振動シート２０５がゴミよけシート２０１を兼ねるため、ゴミよけシート２０１が不要になり、さらにリアフレーム１０２がなくとも振動シート２０５が外部に露出しないので、リアフレーム１０２が不要となる。
【００３６】
このため、デジタルカメラ１００の構成が単純となり、コストが削減できる。なお、この場合には、振動シート２０５の内側および外側に、上記実施の形態でのすきま３００ｂと同様のすきまを確保することが望ましい。具体的には、リアケースユニット２０７の内側に凹部を構成することにより、リアケースユニット２０７と振動シート２０５との間にすきまを形成するのが好ましい。
（Ｃ）
上記実施の形態ではビビリ抑制シート２０３はＰＥＴで形成されているが、ＰＥＴ以外の材料が用いられてもよい。例えば、ビビリ抑制シート２０３は、ＰＥＴ以外のポリエステル、もしくは樹脂で形成されていてもよい。
また、ビビリ抑制シート２０３は、フィルムでなくても構わない。例えば、ビビリ抑制シート２０３は織物や不織紙であってもよい。ただし、ビビリ抑制シート２０３が水を吸収すると、音質が影響を受ける。したがって、ビビリ抑制シートは水を吸収しにくい形態であることが好ましい。また、ビビリ抑制シート２０３の形状は、円形以外であってもよい。
【００３７】
（Ｄ）
上記実施の形態では、ＰＥＴ層２０５ａはシリコンゴム層２０５ｂの全体に積層されていたが、ＰＥＴ層２０５ａはシリコンゴム層２０５ｂの一部に積層されていてもよい。また、シリコンゴム層２０５ｂがＰＥＴ層２０５ａの一部に積層されていてもよい。
ただし、塑性変形の抑制の観点からは、ＰＥＴ層２０５ａの少なくとも一部がシリコンゴム層２０５ｂの外縁部２０５ｃに積層されていることが好ましい。これにより、ＰＥＴ層２０５ａがリアケースユニット２０７に確実に支持されるので、スピーカシート２０６の過剰な変形を抑制することができる。
（Ｅ）
上記実施の形態では、シリコンゴム層２０５ｂの厚みはＰＥＴ層２０５ａの厚みより大きいが、これら各層の厚みは、上記実施の形態での厚みとは異なっていてもよい。例えば、ＰＥＴ層２０５ａの厚みをシリコンゴム層２０５ｂの厚みよりも大きくしても構わない。
【００３８】
（Ｆ）
上記実施の形態では、シリコンゴム層２０５ｂがリアケースユニット２０７に固定されていたが、ＰＥＴ層２０５ａがリアケースユニット２０７に固定されていてもよい。例えば、上記実施の形態において、ＰＥＴ層２０５ａとシリコンゴム層２０５ｂとを入れ替えることが可能である。この場合には、ＰＥＴ層２０５ａの外側（つまり、リアケースユニット２０７とは反対側）にシリコンゴム層２０５ｂが配置される。このように振動シート２０５を配置しても、振動シート２０５の塑性変形を全体として抑制することができる。
（Ｇ）
上記実施の形態では、振動シート２０５は空気を通さない材料で形成されていたが、第２スピーカ穴２０７ａを水密に保つことができれば、振動シート２０５は空気を通過させる材料で形成されていてもよい。
【００３９】
（Ｈ）
上記実施の形態では、振動シート２０５は概ね矩形であったが、振動シート２０５の形状は矩形以外であってもよい。例えば、振動シート２０５は矩形以外の多角形であってもよく、曲線で形成された縁部を有する形状であってもよい。また、振動シート２０５は、完全に平坦であるとは限らない。例えば、音圧を確保できる範囲で、振動シート２０５に凹凸が設けられていても構わない。
（Ｉ）
上記実施の形態では、スピーカシート２０６はデジタルカメラ１００の背面に配置されていたが、スピーカシート２０６が背面以外の他の位置に配置されていても構わない。例えば、スピーカシート２０６が、デジタルカメラ１００の上面、側面、もしくは前面に配置されていてもよい。
【００４０】
（Ｊ）
上記実施の形態では、「電子機器」の一例としてデジタルカメラ１００を挙げて説明したが、「電子機器」はデジタルカメラに限定されない。「電子機器」としては、ビデオカメラ、携帯電話、ＩＣレコーダーなどが挙げられる。アナログ方式で音声を記録する装置が「電子機器」含まれることは勿論である。
【産業上の利用可能性】
【００４１】
本発明は、音圧の確保とビビリ音の低減を両立した電子機器の防水構造を提供することができるため、デジタルカメラ、ビデオカメラ、携帯電話等にも適用できる。
【符号の説明】
【００４２】
４０  筐体
１００  デジタルカメラ（電子機器の一例）
１０１  フロントユニット
１０２  リアフレーム
１０２ａ  第１スピーカ穴
２０１  ゴミよけシート（第３部分の一例）
２０３  ビビリ抑制シート（おもり部材の一例）
２０５  振動シート
２０５ａ  ＰＥＴ層（第２シートの一例）
２０５ｂ  シリコンゴム層（第１シートの一例）
２０６  スピーカシート（カバーの一例）
２０７  リアケースユニット
２０７ａ  第２スピーカ穴（貫通穴の一例）
２０７ｂ  第２凹部
２０９  スピーカ
２０９ａ  振動板
２１１  スピーカ押さえ板金
２１３  粘着剤
２１４  粘着剤
２１５  粘着剤
２１７  スピーカクッション
３００ａ  すきま
３００ｂ  すきま
【図１】
2012165353.tif 000003
【図２】
2012165353.tif 000004
【図３】
2012165353.tif 000005
【図４】
2012165353.tif 000006
【図５】
2012165353.tif 000007
【図６】
2012165353.tif 000008
【図７】
2012165353.tif 000009
【図８】
2012165353.tif 000010
【図９】
2012165353.tif 000011